(57)【要約】【課題】搭載したＨＤＤの記録データを読み出して視覚的および／または聴覚的に再生するデータ記録・再生装置において、ＨＤＤの性能に依存することなく、外部からデータ転送の高速化を実現する。【解決手段】ディスク１７の最外周部を外部からの転送データの一時格納領域として使用する。ディスクの最外周部に記録されたデータは、データ記録・再生装置の空き時間にディスク上のより内周側の別の位置や別のパーティションに移動される。これにより次回の外部からのデータ転送時に備え、ディスクの最外周部の領域を解放する。これによりＨＤＤのもつ速度性能を最大限に活かして外部からの転送データをディスクに高速に記録できる。また、フラグメンテーションが起こりにくく、シーク回数、シーク時間ともに最小限にできるため、データ転送効率の向上を図れる。【選択図】　　図２
2004079102.tif 000002
【特許請求の範囲】
【請求項１】
ディスクにデータを記録し、読み出すことが可能なハード・ディスク・ドライブと、
このハード・ディスク・ドライブに記録されたデータを読み出して視覚的および／または聴覚的に再生する再生部と、
外部から転送データを取り込む外部インタフェースと、
この外部インタフェースより取り込まれた転送データを前記ハード・ディスク・ドライブの前記ディスクの最外周またはその近傍から内周へ向かって連続的に記録し、かつ所定のイベントの発生に応じて当該記録データを前記ディスク上の別の位置に移動させるように制御する制御手段と
を具備することを特徴とするデータ記録・再生装置。
【請求項２】
前記制御手段が、前記ディスクの最外周またはその近傍から内周へ向かって連続的に記録されたデータを前記ディスク上の別の位置に移動させるとき、該ディスクの内周より外周へ向かって当該データを連続的に記録するように制御することを特徴とする請求項１に記載のデータ記録・再生装置。
【請求項３】
前記ディスクの記録領域が、少なくとも、最外周またはその近傍を含む一時格納領域と他の領域とに論理的に区分され、
前記制御手段は、前記転送データを前記一時格納領域に記録し、かつ所定のイベントの発生に応じて、前記一時格納領域に記録されたデータを前記他の領域に移動させるように制御することを特徴とする請求項１に記載のデータ記録・再生装置。
【請求項４】
読み書き可能な固体メモリをさらに有し、
前記制御手段は、前記固体メモリに対して、前記ディスク上の前記一時格納領域に記録されているデータのファイル管理情報を読み書きするように制御することを特徴とする請求項３に記載のデータ記録・再生装置。
【請求項５】
ハード・ディスク・ドライブを搭載し、このハード・ディスク・ドライブに記録されたデータを読み出して視覚的および／または聴覚的に再生するデータ記録・再生装置の前記ハード・ディスク・ドライブに、外部インタフェースから取り込んだ転送データを記録する方法であって、
前記転送データを前記ハード・ディスク・ドライブの前記ディスクの最外周またはその近傍から内周へ向かって連続的に記録し、所定のイベントの発生に応じて前記ディスクの最外周またはその近傍の領域に記録されたデータを前記ディスク上の別の位置に移動させることを特徴とするデータ記録・再生装置のハード・ディスク・ドライブへの転送データ記録方法。
【請求項６】
前記ディスクの最外周またはその近傍から内周へ向かって連続的に記録されたデータを前記ディスク上の別の位置に移動させるとき、該ディスクの内周より外周へ向かって当該データを連続的に記録することを特徴とする請求項５に記載のデータ記録・再生装置のハード・ディスク・ドライブへの転送データ記録方法。
【請求項７】
前記ディスクの記録領域が、少なくとも、最外周またはその近傍を含む一時格納領域と他の領域とに論理的に区分され、
前記転送データを前記一時格納領域に記録し、所定のイベントの発生に応じて前記一時格納領域に記録されたデータを前記他の領域に移動させることを特徴とする請求項５に記載のデータ記録・再生装置のハード・ディスク・ドライブへの転送データ記録方法。
【請求項８】
前記ディスク上の前記一時格納領域に記録されているデータのファイル管理情報を読み書き可能な固体メモリに記録することを特徴とする請求項７に記載のデータ記録・再生装置のハード・ディスク・ドライブへの転送データ記録方法。
【発明の詳細な説明】
【０００１】
【発明の属する技術分野】
本発明は、ハード・ディスク・ドライブを搭載し、外部より転送された音楽データや番組データをハード・ディスク・ドライブに記録し、任意のタイミングでその記録データを読み出して視覚的および／または聴覚的に再生するデータ記録・再生装置とそのハード・ディスク・ドライブへの転送データ記録方法に関する。
【０００２】
【従来の技術】
近年、音楽データや番組データを記録・再生する家庭向けのデータ記録・再生装置のストレージとして、大容量で、ビット単価が低く、ランダムアクセス可能なハード・ディスク・ドライブ（以下、ＨＤＤ）が採用されている。
【０００３】
現在、メディアの径が３．５インチのＨＤＤを使用した据え置きタイプのデータ記録・再生装置が普及しつつある。これは、ＴＶ放送などを録画するＨＤＤレコーダとして知られるものである。
【０００４】
ＨＤＤとしては、上記の３．５インチ径のメディアを用いたものの他、近年では２．５インチ径、１．８インチ径、１インチ径といったより小型で軽量なメディアを用いたものまで普及してきており、これに伴って型ち運び可能なタイプ（モバイルタイプ）のデータ記録・再生装置の普及が待ち望まれている。
【０００５】
このような小型ＨＤＤを搭載したモバイルタイプのデータ記録・再生装置は、たとえば、上記のＨＤＤレコーダで録画した番組データをインターフェイスを通じて取り込んでＨＤＤに記録しておくことで、ユーザが思い立った時いつでも番組を再生して鑑賞できるといった新しい楽しみ方を提供し得るものである。たとえば、ＨＤＤレコーダで録画したドラマを通勤途中で見たり、朝のニュース番組を通勤途中で見るといったことが可能になる。
【０００６】
さらに、このようなモバイルタイプのデータ記録・再生装置では、ＨＤＤレコーダなどからの高速なデータ転送によって番組データを短時間に複写することができれば、その利便性について飛躍的な向上を見込める。
【０００７】
ＨＤＤレコーダとモバイルタイプのデータ記録・再生装置とのインターフェイスには、通常、ＡＴＡ／ＡＴＡＰＩ（ＡＴ　Ａｔｔａｃｈｍｅｎｔ／ＡＴＡ　Ｐａｃｋｅｔ　Ｉｎｔｅｒｆａｃｅ　）、ＩＥＥＥ１３９４、ＵＳＢなどが用いられる。ＡＴＡ／ＡＴＡＰＩ−５のインターフェイスデータ転送速度の最大値は５２８Ｍｂｐｓ（６６ＭＢＹＴＥ／ｓｅｃ）、ＩＥＥＥ１３９４では４００Ｍｂｐｓ、ＵＳＢ２．０では４８０Ｍｂｐｓである。
【０００８】
一方、ＨＤＤ内部のデータ転送速度は、ヘッドとメディア間のデータ転送速度（以下、内部データ転送速度）によって決まり、内部データ転送速度はメディアの線記録密度とヘッドの速度に依存する。ＨＤＤではメディアの回転速度がアクセスするシリンダに拠らず一定であるから、内部データ転送速度はメディアの最外周で最高となり、最内周で最低となる。
【０００９】
具体的には、ＨＤＤレコーダに使用されている３．５インチＨＤＤの内部データ転送速度は、最低で約３００Ｍｂｐｓ、最大で約５００Ｍｂｐｓである。
【００１０】
一方、モバイルタイプのデータ記録・再生装置に使用される１インチＨＤＤ（１．８インチＨＤＤ）の内部データ転送速度は、最低で約４０（１２０）Ｍｂｐｓ、最大で約６０（１８０）Ｍｂｐｓである。
【００１１】
つまり、ＨＤＤレコーダで記録したデータをモバイルタイプのデータ記録・再生装置に転送する際、データ転送速度が最速になるのは、モバイルタイプの記録・再生装置のＨＤＤの最外周にデータを記録している時であり、内周に向かうにつれて徐々に遅くなって行く。
【００１２】
【発明が解決しようとする課題】
通常ＨＤＤでは、単にディスクの空き領域を調べてそこにデータを記録している。したがって、ＨＤＤレコーダからモバイルタイプのデータ記録・再生装置へのデータ転送速度はその都度大きく変動し、トータル的にＨＤＤの速度性能を十分活かせないという問題があった。
【００１３】
加えて、ＨＤＤでは、本来記録したい番組データ以外にファイル管理情報をＨＤＤの決められた位置（通常ディスクの内周側）に随時記録する必要があり、これがデータ転送効率の低下を招いていた。
【００１４】
さらに、ディスクへのファイルの記録と削除を繰り返すと、一つのファイルがディスク上の離れた位置に分断して記録される現象であるフラグメンテーションを引き起こし、やはりデータ転送効率の低下をもたらす。
【００１５】
本発明は、このような課題を解決するためになされたもので、ＨＤＤの速度性能を最大限に活かして、外部からのデータ転送速度の向上を図ることのできるデータ記録・再生装置とそのハード・ディスク・ドライブへの転送データ記録方法を提供することを目的としている。
【００１６】
【課題を解決するための手段】
上記目的を達成するために、本発明のデータ記録・再生装置は、ディスクにデータを記録し、読み出すことが可能なハード・ディスク・ドライブと、このハード・ディスク・ドライブに記録されたデータを読み出して視覚的および／または聴覚的に再生する再生部と、外部から転送データを取り込む外部インタフェースと、この外部インタフェースより取り込まれた転送データを前記ハード・ディスク・ドライブの前記ディスクの最外周またはその近傍から内周へ向かって連続的に記録し、かつ所定のイベントの発生に応じて当該記録データを前記ディスク上の別の位置に移動させるように制御する制御手段とを具備するものである。
【００１７】
この発明は、ディスクの最外周部を外部からの転送データの一時格納領域として使用するものである。ディスクの最外周部に記録されたデータは、所定のイベントの発生に応じてディスク上の別の位置に移動される。これにより次回の外部からのデータ転送時に備え、ディスクの最外周部の領域を解放する。
【００１８】
この発明によれば、ハード・ディスク・ドライブのもつ速度性能を最大限に活かして外部からの転送データをディスクに高速に記録することができる。また、外部からの転送データはディスクの最外周部に連続して記録されるので、ファイルがディスク上の離れた位置に分断して記録されるフラグメンテーションが起こりにくく、加えてシーク回数、シーク時間ともに最小限にできるため、データ転送効率の向上を図れる。
【００１９】
また、本発明のデータ記録・再生装置において、前記制御手段は、前記ディスクの最外周またはその近傍から内周へ向かって連続的に記録されたデータを前記ディスクの別の位置に移動させるとき、該ディスクの内周より外周へ向かって当該データを連続的に記録するように制御するものであってもよい。これにより、ディスクにデータを追記するにあたって、ディスクの最外周部を最後まで空き領域として確保することができる。
【００２０】
さらに、本発明のデータ記録・再生装置において、前記ディスクの記録領域は、少なくとも、最外周またはその近傍を含む一時格納領域と他の領域とに論理的に区分され、制御手段は、前記転送データを前記一時格納領域に記録し、かつ所定のイベントの発生に応じて、前記一時格納領域に記録されたデータを前記他の領域に移動させるように制御するものであってもよい。
【００２１】
これにより一時格納領域の空き容量の管理が容易になり、一時格納領域の可用性が向上する。また、一時格納領域に記録されたデータのファイル管理情報が一時格納領域に記録されることで、ディスク全体の記録領域が一つのパーティションに属し、ファイル管理情報がディスクの最内周部に記録される場合に比べ、外部からの転送データをディスクに記録する場合の全体的なヘッドのシーク量が低減し、データ転送効率の向上を見込める。
【００２２】
さらに、この発明のデータ記録・再生装置において、読み書き可能な固体メモリをさらに有し、前記制御手段は、前記固体メモリに対して、前記ディスク上の前記一時格納領域に記録されているデータのファイル管理情報を読み書きするように制御するものであってもよい。
【００２３】
この発明によれば、一時格納領域に記録したデータのファイル管理情報を固体メモリに記憶するので、ハード・ディスク・ドライブにファイル管理情報を記録する場合に比べ、データ転送効率を向上できる。
【００２４】
また、本発明の別の観点に基づくデータ記録・再生装置のハード・ディスク・ドライブへの転送データ記録方法は、ハード・ディスク・ドライブを搭載し、このハード・ディスク・ドライブに記録されたデータを読み出して視覚的および／または聴覚的に再生するデータ記録・再生装置の前記ハード・ディスク・ドライブに、外部インタフェースから取り込んだ転送データを記録する方法であって、前記転送データを前記ハード・ディスク・ドライブの前記ディスクの最外周またはその近傍から内周へ向かって連続的に記録し、所定のイベントの発生に応じて前記ディスクの最外周またはその近傍の領域に記録されたデータを前記ディスク上の別の位置に移動させる、というものである。
【００２５】
この発明は、ディスクの最外周部を外部からの転送データの一時格納領域として使用するものである。ディスクの最外周部に記録されたデータは、所定のイベントの発生に応じてディスク上の別の位置に移動される。これにより次回の外部からのデータ転送時に備え、ディスクの最外周部の領域を解放する。
【００２６】
この発明によれば、ハード・ディスク・ドライブの速度性能を最大限に活かして外部からの転送データをディスクに高速に記録することができる。また、外部からの転送データはディスクの最外周部に連続して記録されるので、ファイルがディスク上の離れた位置に分断して記録されるフラグメンテーションが起こりにくく、加えてシーク回数、シーク時間ともに最小限にできるため、データ転送効率の向上を図れる。
【００２７】
また、本発明のデータ記録・再生装置のハード・ディスク・ドライブへの転送データ記録方法において、前記ディスクの最外周またはその近傍から内周へ向かって連続的に記録されたデータを前記ディスク上の別の位置に移動させるとき、該ディスクの内周より外周へ向かって当該データを連続的に記録するようにしてもよい。これにより、ディスクにデータを追記するにあたって、ディスクの最外周部を最後まで空き領域として確保することができる。
【００２８】
さらに、本発明のデータ記録・再生装置のハード・ディスク・ドライブへの転送データ記録方法において、前記ディスクの記録領域が、少なくとも、最外周またはその近傍を含む一時格納領域と他の領域とに論理的に区分され、前記転送データを前記一時格納領域に記録し、所定のイベントの発生に応じて前記一時格納領域に記録されたデータを前記他の領域に移動させるようにしてもよい。
【００２９】
これにより一時格納領域の空き容量の管理が容易になり、一時格納領域の可用性が向上する。また、一時格納領域に記録されたデータのファイル管理情報が一時格納領域に記録されることで、ディスク全体の記録領域が一つのパーティションに属し、ファイル管理情報がディスクの最内周部に記録される場合に比べ、外部からの転送データをディスクに記録する場合の全体的なヘッドのシーク量が低減し、データ転送効率の向上を見込める。
【００３０】
さらに、この発明のデータ記録・再生装置のハード・ディスク・ドライブへの転送データ記録方法において、前記ディスク上の前記一時格納領域に記録されているデータのファイル管理情報を読み書き可能な固体メモリに記録してもよい。これによれば、一時格納領域に記録したデータのファイル管理情報を固体メモリに記憶するので、ハード・ディスク・ドライブにファイル管理情報を記録する場合に比べ、データ転送効率を向上できる。
【００３１】
【発明の実施の形態】
以下、本発明の実施形態を図面に基づいて説明する。
【００３２】
図１は本発明をモバイルタイプのデータ記録・再生装置１００に適用した場合の実施の一形態を示すブロック図である。
【００３３】
同図に示すように、このデータ記録・再生装置１００は、ハード・ディスク・ドライブ（以下、ＨＤＤ１と呼ぶ。）、ＨＤＤコントローラ２、コントロール部３、映像・音声出力部４、および外部インターフェイス５、ユーザ・インターフェイス６、システムバス７、スイッチ８などで構成される。
【００３４】
外部インターフェイス５は、たとえばＴＶ放送などを録画可能な据え置きタイプのデータ記録・再生装置であるＨＤＤレコーダ２００とシステムバス７との間でのデータの入出力を管理する。外部インターフェイス５は、具体的には、ＡＴＡ／ＡＴＡＰＩ、ＩＥＥＥ１３９４、ＵＳＢなど、ＨＤＤ１の最大内部データ転送速度よりも高速なインターフェイスである。ＨＤＤレコーダ２００は、内蔵ＨＤＤとして、モバイルタイプのデータ記録・再生装置１００に搭載されているＨＤＤ１に比べ、メディア径が大きく、内部データ転送速度が最大値、最小値ともに高いものが使用されている。具体的には、ＨＤＤレコーダ２００には３．５インチＨＤＤ、モバイルタイプのデータ記録・再生装置１００には２．５インチ、１．８インチ、１インチＨＤＤなどが用いられている。
【００３５】
ＨＤＤコントローラ２は、ＨＤＤ１とシステムバス７側との間でのデータの入出力を制御する。
【００３６】
コントロール部３は、データ記録・再生装置１００の全体の制御を行う部分であり、ＣＰＵ９と、ＲＯＭおよびＲＡＭを含むメモリ１０とで構成される。ＣＰＵ９のバスはシステムバス７に接続されている。ＲＯＭには、このデータ記録・再生装置１００を動作させるためのソフトウェアおよび各種パラメータ類が格納されている。ＣＰＵ９は、このＲＯＭに記憶されているソフトウェアおよび各種パラメータ類に基づきＲＡＭを作業領域に用いて制御の手順を実行する。
【００３７】
映像・音声出力部４は、液晶ディスプレイなどのモニタ１１と、ビデオ・インターフェイス１２と、スピーカ１３と、オーディオ・インターフェイス１４と、データ伸長処理を行うデコーダ１５と、バッファメモリ１６とで構成される。
【００３８】
ＨＤＤ１に記録されている圧縮データは、ＨＤＤコントローラ２、システムバス７を通してバッファメモリ１６に一時的に記録される。デコーダ１５は、バッファメモリ１６に記録された圧縮データを伸長処理し、映像データと音声データを出力する。ビデオ・インターフェイス１２はデコーダ１５から出力された映像データをモニタ１１に入力できる信号に調整する。オーディオ・インターフェイス１４は、デコーダ１５から出力された音声データをスピーカ１３に入力できる信号に調整する。
【００３９】
ユーザ・インターフェイス６は、スイッチ８の状態を監視してスイッチ８の出力をシステムバス７を通じてコントロール部３に送る。コントロール部３は、このスイッチ８の出力に基づいて決められた制御を実行する。スイッチ８は、当該データ記録・再生装置１００においてユーザが随時操作できる位置に設けられている。
【００４０】
次に、この実施形態のデータ記録・再生装置１００の動作を説明する。
【００４１】
図２は、ディスク１７上でのデータの記録位置の変化を説明するための図である。
【００４２】
ここでは一つのディスク１７の記録領域は論理的に一つのドライブに属するものと設定されていることにする。すなわち、この一つのディスク１７の記録領域全体は一つのパーティションに属している。パーティションは、ＨＤＤ１に記録されているデータについてファイル管理が行われる単位となる。このように一つのディスク１７の記録領域全体は一つのパーティションに属している場合は、ファイル管理情報がディスク１７のたとえば最内周部などに記録される。
【００４３】
今、ディスク１７の記録領域に、ＨＤＤレコーダ２００から転送された番組データをはじめて記録する場合を考える。このとき、ディスク１７の最外周を記録開始位置とし、そこからディスク１７の内周へ向けて転送データ１８を連続して記録して行く。
【００４４】
ここで、ディスク１７の最外周とは、ディスク１７上でデータを記録することが可能な領域の中で最も外周に位置するトラック（シリンダ）を意味する。仮にディスク１７の最外周部が他の目的で予約されている場合には、その部分を除く最外周位置が記録開始位置となる。以降、説明の簡単のため、いずれの場合もディスク１７の最外周位置と呼ぶことにする。
【００４５】
ディスク１７への番組データ１８の記録が完了した後、データ記録・再生装置１００での処理の空き時間を利用して、ディスク１７の最外周部に記録されていたデータ１８をディスク１７上の別の位置に移動させる。
【００４６】
データ記録・再生装置１００の空き時間をコントロール部３に明示的に通知するための手段の例として所定のイベントの発生の有無を検出する方法がある。具体的には、ユーザがスイッチ８を操作して空き時間であることを通知する方法、ユーザからの再生、記録、削除などの各種オペレーションの指令が連続して発生しない時間を計時し、この計時時間が決められた時間を超過したときに処理の空き時間であることを通知する方法などがある。これらの方法はそのいずれか一方、あるいは両方を併用できる。
【００４７】
コントロール部３は、これらのイベントを監視し、イベント発生を検出したとき、ディスク１７の最外周部に記録されていたデータ１８を、より内周側の別の位置に移動させるようにシステムバス７を通じてＨＤＤコントローラ２に制御命令を供給する。ＨＤＤコントローラ２は、この制御命令に従ってディスク１７上でのデータの移動を実行する。これによりディスク１７の最外周部の記録領域が解放される。
【００４８】
また、図３に示すように、ディスク１７の最外周部に記録されていたデータ１８を内周側に移動させるとき、ディスク１７の最内周を記録開始位置として外周に向かって連続的にデータ１８を記録するようにしてもよい。これによれば、ディスク１７に番組データを追記するにあたって、ディスク１７の最外周部を最後まで空き領域として確保することができる。
【００４９】
なお、仮にディスク１７の最内周部がファイル管理情報が記録される領域であるなど他の目的で予約されている場合、あるいは既にデータが記録されている場合は、その部分を除く最内周位置がデータの移動先の記録開始位置となる。
【００５０】
このようにしてディスク１７の最外周部が解放されたことによって、次のＨＤＤレコーダ２００からの転送データも同様に、ディスク１７の最外周部に記録することができる。
【００５１】
以上のように、この実施形態のデータ記録・再生装置１００によれば、ＨＤＤ１の速度性能を最大限に活かして外部からの転送データをディスク１７に高速に記録することができる。また、外部からの転送データはディスク１７の最外周部に連続して記録されるので、ファイルがディスク１７上の離れた位置に分断して記録されるフラグメンテーションが起こりにくく、加えてシーク回数、シーク時間ともに最小限にできるため、データ転送効率の向上を図れる。
【００５２】
次に、本発明に係る他の実施形態を説明する。
図４は本発明をモバイルタイプのデータ記録・再生装置１１０に適用した場合の別の実施形態を示すブロック図である。
【００５３】
同図に示すデータ記録・再生装置１１０は、図１に示したデータ記録・再生装置１００の構成に、ディスク１７に記録されるデータのファイル管理情報を格納するための固体メモリ２２を付加してなるものである。固体メモリ２２は、高速にデータの読み書きを行うことのできる不揮発性のメモリであり、具体的にはフラッシュメモリなどが使用される。
【００５４】
次に、ＨＤＤレコーダ２００で記録した映像・音声データ（番組）を本実施形態の本発明のデータ記録・再生装置１１０に転送してＨＤＤ１に記録する時の動作を説明する。
【００５５】
図５は、この実施形態において、ディスク１７上でのデータの記録位置の変化を説明するための図である。
【００５６】
ここでは一つのディスク１７の記録領域は論理的に複数のパーティション２３，２４に区分されている。この中でディスク１７の最外周側のパーティション２３は外部からの転送データ１８を一時的に格納する領域として使用され、他のパーティション２４は通常のデータ格納領域として使用される。通常、ディスク１７の記録領域を複数のパーティションに区分した場合、個々のパーティションに属するデータのファイル管理情報がそのデータが記録されているパーティション内に記録されるが、この実施形態では、一時格納用のパーティション２３に記録されたデータ１８のファイル管理情報については固体メモリ２２に格納するものとしている。他のパーティション２４のデータのファイル管理情報はこれまで通り、そのパーティション２４のたとえば最内周部などに記録される。
【００５７】
今、ディスク１７に、ＨＤＤレコーダ２００から転送された番組データをはじめて記録する場合を考える。このとき、ディスク１７の最外周側に設定された一時格納用のパーティション２３に転送データ１８を記録する。そして、この一時格納用パーティション２３に記録した転送データ１８のファイル管理情報を固体メモリ２２に書き込む。なお、このとき、その一時格納用パーティション２３内の最外周を記録開始位置とし、そこからディスク１７の内周へ向けて転送データ１８を連続して記録して行くことが好ましい。
【００５８】
番組データの記録が完了した後、本発明のデータ記録・再生装置１１０での処理の空き時間を利用して、一時格納用のパーティション２３に記録されていたデータ１８を他のパーティション２４に移動させる。このとき、固体メモリ２２から、他のパーティションに移動したデータ１８のファイル管理情報が削除され、データ移動先のパーティション２４にそのデータ１８のファイル管理情報１９が新たに記録される。
【００５９】
このようにして一時格納用のパーティション２３が解放されたことによって、次のＨＤＤレコーダ２００からの転送データを同様にディスク１７の一時格納用のパーティション２３に記録することができる。
【００６０】
以上のように、この実施形態の本発明のデータ記録・再生装置１１０によれば、一時格納用のパーティション２３に記録したデータのファイル管理情報を固体メモリ２２に記憶するので、ＨＤＤ１にファイル管理情報を記録する場合に比べ、データ転送効率を向上できる。
【００６１】
また、外部からの転送データを一時的に格納するパーティション２３と通常のデータ記録用のパーティション２４とを明示的に区分したことで、一時格納用のパーティション２３の空き容量の管理が容易になり、一時格納用のパーティション２３の可用性が向上する。
【００６２】
以上説明したように、この本発明の各々の実施形態であるデータ記録・再生装置１００，１１０によれば、外部からの転送データをＨＤＤ１に記録するとき、ＨＤＤ１の速度性能を最大限に活かすことが可能になり、高速で高価なＨＤＤを使用することなく、高速データ転送が可能なモバイルタイプのデータ記録・再生装置を実現することができる。
【００６３】
なお、本発明は上述したいずれの実施形態にも限定されず、本発明の技術思想の範囲内で適宜変更して実施できる。
【００６４】
図４に示した実施形態では、一時格納用のパーティション２３に記録したデータのファイル管理情報を固体メモリ２２に記憶したが、一時格納用のパーティション２３内にファイル管理情報を記録する方式も考えられる。
【００６５】
この場合、固体メモリ２２にファイル管理情報を記録する場合ほどデータ転送効率は高められないが、ディスク１７の全体の記録領域が一つのパーティションとして設定され、ファイル管理情報がディスク１７の最内周部に記録される場合に比べ、外部からの転送データをディスク１７の最外周部に記録する場合の全体的なヘッドのシーク量が低減し、データ転送効率の向上を見込める。
【００６６】
【発明の効果】
以上説明したように、本発明によれば、ハード・ディスク・ドライブのもつ速度性能を最大限に活かして外部からの転送データをディスクに高速に記録することができる、また、外部からの転送データはディスクの最外周部に連続して記録されるので、ファイルがディスク上の離れた位置に分断して記録されるフラグメンテーションが起こりにくく、加えてシーク回数、シーク時間ともに最小限にできるため、データ転送効率の向上を図れる、という効果を奏し得る。
【図面の簡単な説明】
【図１】本発明をモバイルタイプのデータ記録・再生装置に適用した場合の実施の一形態を示すブロック図である。
【図２】図１のデータ記録・再生装置の動作において、ディスク上でのデータの記録位置の変化を示す図である。
【図３】図１のデータ記録・再生装置の別の動作において、ディスク上でのデータの記録位置の変化を示す図である。
【図４】本発明をモバイルタイプのデータ記録・再生装置に適用した場合の別の実施の形態を示すブロック図である。
【図５】図４のデータ記録・再生装置の動作において、ディスク上でのデータの記録位置の変化を示す図である。
【符号の説明】
１　　　ＨＤＤ
２　　　ＨＤＤコントローラ
３　　　コントロール部
４　　　映像・音声出力部
５　　　外部インターフェイス
６　　　ユーザ・インターフェイス
７　　　システムバス
８　　　スイッチ
１１　　　モニタ
１２　　　ビデオ・インターフェイス
１３　　　スピーカ
１４　　　オーディオ・インターフェイス
１７　　　ディスク
１８　　　データ
１９　　　ファイル管理情報
２２　　　固体メモリ
２３　　　一時格納用パーティション
１００，１１０　　　データ記録・再生装置
２００　　　ＨＤＤレコーダ
【図１】
2004079102.tif 000003
【図２】
2004079102.tif 000004
【図３】
2004079102.tif 000005
【図４】
2004079102.tif 000006
【図５】
2004079102.tif 000007